(57)【要約】【課題】機器の信頼性の保護を最優先とし、その保証範囲内での最低限の運転を行うことが可能な多室型空気調和装置を提供すること。【解決手段】室内機に機器に異常が発生した場合に異常表示をする異常表示装置が設けられ、接続される室内機の容量の合計が室外機容量範囲設定装置の値の範囲から外れる場合には、制御装置が異常表示装置に異常を表示し、異常が表示された状態で再度運転を開始すると、圧縮機最大周波数設定装置の周波数を制限して運転を行う。【選択図】図１
2011252640.tif 000002
【特許請求の範囲】
【請求項１】
冷媒を圧縮する可変容量圧縮機、冷媒と大気と熱交換する室外熱交換器、冷媒流路を切り替える四方弁、冷媒を減圧する膨張弁を少なくとも有する室外機と、冷媒と空気とを熱交換する室内熱交換器を少なくとも有する室内機とを備え、１台の室外機に複数台の室内機を接続した多室型空気調和装置であって、
前記室内機には、運転を設定する運転設定装置と、定格冷凍能力を設定する室内機容量設定装置と、機器に異常が発生した場合に異常表示をする異常表示装置が設けられ、
前記室外機には、接続可能な室内機の冷凍能力の範囲を設定する室外機容量範囲設定装置と、前記可変容量圧縮機の運転最大周波数を設定する圧縮機最大周波数設定装置と、前記室内機の異常表示装置に異常表示を行い機器の運転の停止を行う制御装置が設けられるとともに、
接続される室内機の容量の合計が前記室外機容量範囲設定装置の値の範囲から外れる場合には、前記制御装置が前記異常表示装置に異常を表示し、異常が表示された状態で再度運転を開始すると、前記圧縮機最大周波数設定装置の周波数を制限して運転を行うことを特徴とする多室型空気調和装置。
【請求項２】
冷媒を圧縮する可変容量圧縮機、冷媒と大気と熱交換する室外熱交換器、冷媒流路を切り替える四方弁、冷媒を減圧する膨張弁を少なくとも有する室外機と、冷媒と空気とを熱交換する室内熱交換器を少なくとも有する室内機とを備え、１台の室外機に複数台の室内機を接続した多室型空気調和装置であって、
前記室内機には、運転を設定する運転設定装置と、定格冷凍能力を設定する室内機容量設定装置と、機器に異常が発生した場合に異常表示をする異常表示装置が設けられ、
前記室外機には、接続可能な室内機の台数の範囲を設定する室内機接続台数範囲設定装置と、前記可変容量圧縮機の運転最大周波数を設定する圧縮機最大周波数設定装置と、前記室内機の異常表示装置に異常表示を行い機器の運転の停止を行う制御装置が設けられるとともに、
接続される室内機の台数が前記室内機接続台数範囲設定装置の値の範囲から外れる場合には、前記制御装置が前記異常表示装置に異常を表示し、異常が表示された状態で再度運転を開始すると、前記圧縮機最大周波数設定装置の周波数を制限して運転を行うことを特徴とする多室型空気調和装置。
【請求項３】
前記室外機には、前記圧縮機の運転周波数の変更速度を決定する周波数変更速度設定装置を設け、前記室内機の異常表示装置に異常が表示された状態で再度運転を開始すると、前記周波数変更速度設定装置の値を変化速度が小さくなるように変更することを特徴とする請求項１または２に記載の多室型空気調和装置。
【請求項４】
前記室外機には、運転開始時に前記圧縮機の運転周波数と前記膨張弁の開度を段階的に増大するように制御する圧縮機周波数起動制御装置および膨張弁起動制御装置を設け、前記室内機の異常表示装置に異常が表示された状態で再度運転を開始すると、前記圧縮機の周波数と、前記膨張弁の開度が小さくなるように変更することを特徴とする請求項１または２に記載の多室型空気調和装置。
【発明の詳細な説明】
【技術分野】
【０００１】
本発明は、１台の室外機に複数台の室内機を接続する多室型空気調和装置に関するものである。
【背景技術】
【０００２】
従来の多室型空気調和機では、複数の接続室内機の容量の総計及び台数と、接続される室外機に設定されている容量と台数との比較を行い、接続異常を判定し、運転の停止を行うように制御されている（例えば、特許文献１参照）。
【先行技術文献】
【特許文献】
【０００３】
【特許文献１】特開平０７−１３９７８４号公報
【発明の概要】
【発明が解決しようとする課題】
【０００４】
しかしながら、接続されている室内機の１台或いは複数台が故障し、正常な複数の接続室内機の容量の総計及び台数と、接続される室外機に設定されている容量と台数との比較を行い、室外に設定されている値の範囲を下回るように外れた場合、機器を停止し運転できなくなってしまうという課題を有していた。
【０００５】
これに対して、正常な室内機のみ運転できないかという市場からの要望があったものの、室外に設定されている容量を下回るように外れると、室内熱交換器能力及び容積が著しく低下し、冷房運転時の熱交換器凍結や結露、暖房運転時の圧力上昇や、起動時の圧縮機への液戻り等の別の課題が発生してしまう。
【０００６】
本発明は、前記従来の課題を解決するもので、接続される室内機の容量の合計が、室外機容量範囲設定装置の値の範囲から外れるか、或いは接続される室内機の台数が室内機接続台数範囲設定装置の値の範囲から外れた場合であっても、機器の信頼性の保護を最優先とし、その保証範囲内での最低限の運転を行うことが可能な多室型空気調和装置を提供することを目的とする。
【課題を解決するための手段】
【０００７】
前記従来の課題を解決するために、本発明の多室型空気調和装置は、冷媒を圧縮する可変容量圧縮機、冷媒と大気と熱交換する室外熱交換器、冷媒流路を切り替える四方弁、冷媒を減圧する膨張弁を少なくとも有する室外機と、冷媒と空気とを熱交換する室内熱交換器を少なくとも有する室内機とを備え、１台の室外機に複数台の室内機を接続した多室型空気調和装置であって、室内機には、運転を設定する運転設定装置と、定格冷凍能力を設定する室内機容量設定装置と、機器に異常が発生した場合に異常表示をする異常表示装置が設けられ、室外機には、接続可能な室内機の冷凍能力の範囲を設定する室外機容量範囲設定装置と、可変容量圧縮機の運転最大周波数を設定する圧縮機最大周波数設定装置と、室内機の異常表示装置に異常表示を行い機器の運転の停止を行う制御装置が設けられるとともに、接続される室内機の容量の合計が室外機容量範囲設定装置の値の範囲から外れる場合には、制御装置が異常表示装置に異常を表示し、異常が表示された状態で再度運転を開始すると、圧縮機最大周波数設定装置の周波数を制限して運転を行うことを特徴とする。
【０００８】
また、前記従来の課題を解決するために、本発明の多室型空気調和装置は、冷媒を圧縮
する可変容量圧縮機、冷媒と大気と熱交換する室外熱交換器、冷媒流路を切り替える四方弁、冷媒を減圧する膨張弁を少なくとも有する室外機と、冷媒と空気とを熱交換する室内熱交換器を少なくとも有する室内機とを備え、１台の室外機に複数台の室内機を接続した多室型空気調和装置であって、室内機には、運転を設定する運転設定装置と、定格冷凍能力を設定する室内機容量設定装置と、機器に異常が発生した場合に異常表示をする異常表示装置が設けられ、室外機には、接続可能な室内機の台数の範囲を設定する室内機接続台数範囲設定装置と、可変容量圧縮機の運転最大周波数を設定する圧縮機最大周波数設定装置と、室内機の異常表示装置に異常表示を行い機器の運転の停止を行う制御装置が設けられるとともに、接続される室内機の台数が室内機接続台数範囲設定装置の値の範囲から外れる場合には、制御装置が異常表示装置に異常を表示し、異常が表示された状態で再度運転を開始すると、圧縮機最大周波数設定装置の周波数を制限して運転を行うことを特徴とする。
【発明の効果】
【０００９】
本発明は、多室型空気調和装置において、複数台接続された室内域のうち数台故障しても残りの正常な室内機のみで運転制限をしながら空調を行うことにより、ユーザーの使い勝手を向上させることができる。
【図面の簡単な説明】
【００１０】
【図１】本発明の実施の形態１における冷凍サイクル図
【図２】同実施の形態１における制御ブロック図
【図３】同実施の形態１におけるフローチャート図
【図４】本発明の実施の形態２における制御ブロック図
【図５】同実施の形態２におけるフローチャート図
【図６】本発明の実施の形態３における制御ブロック図
【図７】同実施の形態３におけるフローチャート図
【図８】本発明の実施の形態４における制御ブロック図
【図９】同実施の形態４におけるタイムチャート図
【図１０】同実施の形態４におけるタイムチャート図
【図１１】同実施の形態４におけるフローチャート図
【発明を実施するための形態】
【００１１】
第１の発明は、冷媒を圧縮する可変容量圧縮機、冷媒と大気と熱交換する室外熱交換器、冷媒流路を切り替える四方弁、冷媒を減圧する膨張弁を少なくとも有する室外機と、冷媒と空気とを熱交換する室内熱交換器を少なくとも有する室内機とを備え、１台の室外機に複数台の室内機を接続した多室型空気調和装置であって、室内機には、運転を設定する運転設定装置と、定格冷凍能力を設定する室内機容量設定装置と、機器に異常が発生した場合に異常表示をする異常表示装置が設けられ、室外機には、接続可能な室内機の冷凍能力の範囲を設定する室外機容量範囲設定装置と、可変容量圧縮機の運転最大周波数を設定する圧縮機最大周波数設定装置と、室内機の異常表示装置に異常表示を行い機器の運転の停止を行う制御装置が設けられるとともに、接続される室内機の容量の合計が室外機容量範囲設定装置の値の範囲から外れる場合には、制御装置が異常表示装置に異常を表示し、異常が表示された状態で再度運転を開始すると、圧縮機最大周波数設定装置の周波数を制限して運転を行うことにより、複数台接続された室内域のうち数台故障しても残りの正常な室内機のみで圧縮機運転周波数の制限をしながら空調を行っても、機器の信頼性の向上とユーザーの使い勝手が向上する。
【００１２】
第２の発明は、冷媒を圧縮する可変容量圧縮機、冷媒と大気と熱交換する室外熱交換器、冷媒流路を切り替える四方弁、冷媒を減圧する膨張弁を少なくとも有する室外機と、冷媒と空気とを熱交換する室内熱交換器を少なくとも有する室内機とを備え、１台の室外機
に複数台の室内機を接続した多室型空気調和装置であって、室内機には、運転を設定する運転設定装置と、定格冷凍能力を設定する室内機容量設定装置と、機器に異常が発生した場合に異常表示をする異常表示装置が設けられ、室外機には、接続可能な室内機の台数の範囲を設定する室内機接続台数範囲設定装置と、可変容量圧縮機の運転最大周波数を設定する圧縮機最大周波数設定装置と、室内機の異常表示装置に異常表示を行い機器の運転の停止を行う制御装置が設けられるとともに、接続される室内機の台数が室内機接続台数範囲設定装置の値の範囲から外れる場合には、制御装置が異常表示装置に異常を表示し、異常が表示された状態で再度運転を開始すると、圧縮機最大周波数設定装置の周波数を制限して運転を行うことにより、複数台接続された室内域のうち数台故障しても残りの正常な室内機のみで圧縮機運転周波数の制限をしながら空調を行っても、機器の信頼性の向上とユーザーの使い勝手が向上する。
【００１３】
第３の発明は、特に第１または第２の発明において、室外機には、圧縮機の運転周波数の変更速度を決定する周波数変更速度設定装置を設け、室内機の異常表示装置に異常が表示された状態で再度運転を開始すると、周波数変更速度設定装置の値を変化速度が小さくなるように変更することにより、複数台接続された室内域のうち数台故障しても残りの正常な室内機のみで圧縮機運転周波数の制限をしながら空調を行うことで、機器の信頼性の向上とユーザーの使い勝手が向上する。
【００１４】
第４の発明は、特に第１または第２の発明において、室外機には、運転開始時に圧縮機の運転周波数と膨張弁の開度を段階的に増大するように制御する圧縮機周波数起動制御装置および膨張弁起動制御装置を設け、室内機の異常表示装置に異常が表示された状態で再度運転を開始すると、圧縮機の周波数と、膨張弁の開度が小さくなるように変更することにより、複数台接続された室内域のうち数台故障しても残りの正常な室内機のみで圧縮機運転周波数の制限をしながら空調を行うことで、機器の信頼性の向上とユーザーの使い勝手が向上する。
【００１５】
以下、本発明の実施の形態について、図面を参照しながら説明する。なお、この実施の形態によって本発明が限定されるものではない。
【００１６】
（実施の形態１）
図１は、本発明の実施の形態１における空気調和機の冷凍サイクル図であり、図２は制御ブロック図、図３はフローチャート図である。
【００１７】
図１は、本発明にかかる多室形空気調和装置の冷凍サイクル図の１例であり、１台の室外機１に複数台（例えば２台）の室内機７ａ、７ｂを接続した場合を示している。図１において、室外機１にはインバータ駆動の容量（周波数）可変形圧縮機２（以下単に圧縮機と称す）と、室外熱交換器３と室外送風機４と、冷暖房切換用の四方弁５とが設けられる。
【００１８】
一方、室内機７ａ、７ｂには室内送風機８ａ、８ｂと、室内熱交換器９ａ、９ｂがそれぞれ設けられていて、室外機１と室内機７ａ、７ｂは接続配管により液側接続部２５ａ、２５ｂとガス側接続部２６ａ、２６ｂで接続されている。
【００１９】
また、液側接続部２５ａ、２５ｂは冷媒液側主管２３より分岐した液側分岐管２３ａ、２３ｂと、ガス側接続部２６ａ、２６ｂは冷媒ガス側主管より分岐したガス側分岐管２４ａ、２４ｂとで接続されており、液側分岐管２３ａ、２３ｂと液側接続部２５ａ、２５ｂの間には、例えばステッピングモータ等により弁開度をパルス制御可能な膨張弁６ａ、６ｂがそれぞれ介装されている。
【００２０】
また、室内機７ａ、７ｂには、室内機７ａ、７ｂの定格運転容量を記憶する室内定格容量記憶装置１７ａ、１７ｂ、居住者が希望する運転モード（冷房、除湿または暖房）と室温と運転あるいは停止を設定できる運転設定装置１０ａ、１０ｂ、接続異常を表示する接続異常表示装置１１ａ、１１ｂが設けられている。
【００２１】
上記構成の冷凍サイクルにおいて、冷房あるいは除湿運転時は、圧縮機２から吐出された冷媒は四方弁５を介して室外熱交換器３へと流れ、室外送風機４の駆動により室外熱交換器３で室外空気と熱交換して凝縮液化し、冷媒液側主管２３を通り液側分２３ａ、２３ｂにて冷媒分配させ膨張弁６ａ、６ｂで複数の室内機に分配された冷媒を流量制御して室内機７ａ、７ｂで蒸発した後に、ガス側分岐管２４ａ、２４ｂから冷媒ガス側主管に合流して四方弁５を介して再び圧縮機２に吸入される。この膨張弁６ａ、６ｂは室内の負荷に見合った開度となるようにステッピングモータ等によりパルス制御されるため、冷媒も室内負荷に応じた流量で制御される。
【００２２】
一方、暖房運転時は、圧縮機２から吐出された冷媒は四方弁５を介して室内熱交換器９ａ、９ｂへと流れ、室内送風機８ａ、８ｂの駆動により室内熱交換器９ａ、９ｂで室内空気と熱交換して凝縮液化し、冷媒液側分岐管２３ａ、２３ｂを通り合流後、膨張弁６ａ、６ｂで流量制御して室外熱交換器３で蒸発した後に四方弁５を介して再び圧縮機２に吸入される。
【００２３】
次に、本発明の制御の流れについて図２、３を用いて説明する。
【００２４】
まず、本発明の空気調和機の制御装置１８は、居住者が希望する運転モード切替スイッチ１３（冷房、ドライ、送風または暖房）と室内温度設定スイッチ１４と運転停止スイッチ１２と風量設定スイッチ１５と風向設定スイッチ１６で構成されている運転設定装置１０の信号を記憶する運転モード記憶装置１９と、室外機の容量範囲を設定する室外機容量範囲設定装置２０と、圧縮機２の最大周波数を設定する最大周波数設定装置２１と、室内吸込み温度検知装置２７の信号をサンプリング時間毎受けて運転状況を判断する判定装置２２と、その信号により圧縮機２の駆動周波数や送風機の回転数を決定し、圧縮機２、室内送風機８、室外送風機４等を駆動したり、異常表示を行う出力リレー回路２３等を有している。
【００２５】
例えば、２室型の空気調和装置において、Ａ室は容量（定格冷房能力）２．８ｋＷの室内機７ａが接続されており、Ｂ室は容量（定格冷房能力）２．２ｋＷの室内機７ｂが接続されており、室外機容量範囲設定装置２０には３．２ｋＷから５．０ｋＷの接続可能容量範囲が設定されているとする。
【００２６】
居住者が運転モード切替スイッチ１３ａで冷房を選択し、運転を開始すると（Ｓ１）、室内機の合計容量は５．０ｋＷであり室外容量範囲設定（３．２ｋＷから５．０ｋＷ）の範囲内にあるので（Ｓ２）、冷房運転を開始し（Ｓ３）、室内吸込み温度検知装置２７ａの信号と室内温度設定スイッチ（１４ａ）の信号により、圧縮機２の運転周波数を最大周波数設定装置２１の範囲内で運転を行うが（Ｓ４）、何らかの理由でＡ室が故障し、室外機１には、Ｂ室（容量２．２ｋＷ）１室しか接続されていない状態の場合、室内機の接続容量の合計は２．２ｋＷであり、室外容量範囲設定の範囲内（３．２ｋＷから５．０ｋＷ）にないので（Ｓ５）、居住者が運転モード切替スイッチ１３ａで冷房を選択し、運転を開始しても（Ｓ１）、運転を停止し（Ｓ６）、異常表示装置１１に異常表示を行う（Ｓ７）。
【００２７】
ここで、居住者が、再度、運転モード切替スイッチ１３ａで冷房を選択し、運転を開始すると（Ｓ８）、運転を開始するが、運転周波数を最大周波数設定装置２１の範囲内から
αＨｚ下げた範囲内ですこし性能を落として運転を行う（Ｓ１０）。
【００２８】
以上のように、複数台接続された室内機のうち数台故障しても残りの正常な室内機のみで圧縮機運転周波数の制限をしながら空調を行うことにより、機器の信頼性が向上すると共に、故障の修理が完了するまで正常な室内機のみ能力を落としてもいいから運転したいというユーザーの要望が実現可能となり、ユーザーの使い勝手が向上する。
【００２９】
（実施の形態２）
本発明にかかる空気調和機の冷凍サイクル図は、実施の形態１と同様なので同じ符号を付して説明は省略する。図４は制御ブロック図、図５はフローチャート図である。次に、本発明の制御の流れについて図４、５を用いて説明する。
【００３０】
本発明の空気調和機の制御装置１８には、居住者が希望する運転モード切替スイッチ１３（冷房、ドライ、送風または暖房）と室内温度設定スイッチ１４と運転停止スイッチ１２と風量設定スイッチ１５と風向設定スイッチ１６で構成されている運転設定装置１０の信号を記憶する運転モード記憶装置１９と、室外機の容量範囲を設定する室外機容量範囲設定装置２０と、室外機に接続可能な室内機の接続数の範囲を設定する室内機接続台数範囲設定装置２４と、圧縮機２の最大周波数を設定する最大周波数設定装置２１と、室内吸込み温度検知装置２７の信号をサンプリング時間毎受けて運転状況を判断する判定装置２２と、その信号により圧縮機２の駆動周波数や送風機の回転数を決定し、圧縮機２、室内送風機８、室外送風機４等を駆動したり、異常表示を行う出力リレー回路２３等を有している。
【００３１】
例えば、２室型の空気調和装置において、Ａ室は容量（定格冷房能力）２．８ｋＷの室内機７ａが接続されておりＢ室は容量（定格冷房能力）２．２ｋＷの室内機７ｂが接続されており、室外機容量範囲設定装置２０には２．８ｋＷから５．０ｋＷの接続可能容量範囲が設定されていて、室内機接続台数範囲設定装置２４には２室が設定されているとする。
【００３２】
居住者が運転モード切替スイッチ１３ａで冷房を選択し、運転を開始すると（Ｓ１０１）、室内機の合計容量は５．０ｋＷであり、室外容量範囲設定の範囲内にある（Ｓ１０２）。
【００３３】
また、室内機の接続台数は２台であり室内機接続台数範囲設定装置の範囲内にあるので（Ｓ１０３）、冷房開始し（Ｓ１０４）室内吸込み温度検知装置２７ａの信号と室内温度設定スイッチ（１４ａ）の信号により圧縮機２の運転周波数を最大周波数設定装置２１の範囲内で運転を行う（Ｓ１０５）。
【００３４】
しかしながら、何らかの理由でＢ室（容量２．２ｋW）が故障し、室外機１にはＡ室（容量２．８ｋＷ）１室しか接続されていない状態の場合、室内機の接続容量の合計は２．８ｋＷであり室外容量範囲設定の範囲内（２．８ｋＷから５．０ｋＷ）にあるが（Ｓ１０２）、接続台数が１台であり、接続台数の範囲内（２台）にないので（Ｓ１０７）、居住者が運転モード切替スイッチ１３ａで冷房を選択し、運転を開始しても（Ｓ１０１）、運転を停止し（Ｓ１０８）、異常表示装置１１に異常表示を行う（Ｓ１０９）。
【００３５】
ここで、居住者が再度運転モード切替スイッチ１３ａで冷房を選択し、運転を開始すると（Ｓ１１０）、運転を開始するが（Ｓ１１１）、運転周波数を最大周波数設定装置２１の範囲内からαＨｚ下げた範囲内ですこし性能を落として運転を行う（Ｓ１１２）。
【００３６】
以上のように、複数台接続された室内機のうち数台故障しても残りの正常な室内機のみ
で圧縮機運転周波数の制限をしながら空調を行うことにより、機器の信頼性が向上すると共に、故障の修理が完了するまで正常な室内機のみ能力を落としてもいいから運転したいというユーザーの要望が実現可能となり、ユーザーの使い勝手が向上する。
【００３７】
（実施の形態３）
本発明にかかる空気調和機の冷凍サイクル図は、実施の形態１と同様なので同じ符号を付して説明は省略する。図６は制御ブロック図、図７はフローチャート図である。本発明の制御の流れについて図６、７を用いて説明する。
【００３８】
本発明の空気調和機の制御装置１８には、居住者が希望する運転モード切替スイッチ１３（冷房、ドライ、送風または暖房）と室内温度設定スイッチ１４と運転停止スイッチ１２と風量設定スイッチ１５と風向設定スイッチ１６で構成されている運転設定装置１０の信号を記憶する運転モード記憶装置１９を設けている。
【００３９】
また、室外機の容量範囲を設定する室外機容量範囲設定装置２０と、室外機に接続可能な室内機の接続数の範囲を設定する室内機接続台数範囲設定装置２４と、圧縮機の運転周波数が変化する場合の周波数変化速度（１秒当たりに変化する周波数Ｈｚ／ｓｅｃ）を設定する周波数変更速度設定装置２５と、圧縮機２の最大周波数を設定する最大周波数設定装置２１と、室内吸込み温度検知装置２７の信号をサンプリング時間毎受けて運転状況を判断する判定装置２２と、その信号により圧縮機２の駆動周波数や送風機の回転数を決定し、圧縮機２、室内送風機８、室外送風機４等を駆動したり異常表示を行う出力リレー回路２３等を有している。
例えば、２室型の空気調和装置において、Ａ室は容量（定格冷房能力）２．８ｋＷの室内機７ａが接続されておりＢ室は容量（定格冷房能力）２．２ｋＷの室内機７ｂが接続されており、室外機容量範囲設定装置２０には２．８ｋＷから５．０ｋＷの接続可能容量範囲が設定されていて、室内機接続台数範囲設定装置２４には２室が設定されているとする。
【００４０】
居住者が運転モード切替スイッチ１３ａで冷房を選択し、運転を開始すると（Ｓ２０１）、室内機の合計容量は５．０ｋＷであり室外容量範囲設定の範囲内にあり（Ｓ２０２）、室内機の接続台数は２台であり室内機接続台数範囲設定装置の範囲内にあるので（Ｓ２０３）、冷房開始し（Ｓ２０４）室内吸込み温度検知装置２７ａの信号と室内温度設定スイッチ（１４ａ）の信号により圧縮機２の運転周波数を最大周波数設定装置２１の範囲内で、周波数の変化速度はＶＨａＨｚ／ｓｅｃで運転を行う（Ｓ２０５、Ｓ２０６）。
【００４１】
しかしながら、何らかの理由でＢ室（容量２．２ｋW）が故障し、室外機１にはＡ室（容量２．８ｋＷ）１室しか接続されていない状態の場合、室内機の接続容量の合計は２．８ｋＷであり室外容量範囲設定の範囲内（２．８ｋＷから５．０ｋＷ）にあるが（Ｓ２０２）、接続台数が１台であり、接続台数の範囲内（２台）にないので（Ｓ２０８）、居住者が運転モード切替スイッチ１３ａで冷房を選択し、運転を開始しても、運転を停止し（Ｓ２０９）、異常表示装置１１に異常表示を行う（Ｓ２１０）。
【００４２】
ここで、居住者が再度運転モード切替スイッチ１３ａで冷房を選択し、運転を開始すると（Ｓ２１１）、運転を開始するが（Ｓ２１２）、周波数の変化速度をβＨｚ／ｓｅｃ落とし（（ＶＨａ-β）Ｈｚ／ｓｅｃで運転）、周波数がゆっくり変化するように変更し（Ｓ２１３）、かつ運転周波数を最大周波数設定装置２１の範囲内からαＨｚ下げた範囲内ですこし性能を落として運転を行う（Ｓ２１４）。
【００４３】
以上のように、複数台接続された室内機のうち数台故障しても残りの正常な室内機のみで圧縮機運転周波数をゆっくり上下させるように変更し、かつ周波数の制限をしながら空調を行うことにより、機器の信頼性が向上すると共に、故障の修理が完了するまで正常な
室内機のみ能力を落としてもいいから運転したいというユーザーの要望が実現可能となり、ユーザーの使い勝手が向上する。
【００４４】
（実施の形態４）
本発明にかかる空気調和機の冷凍サイクル図は、実施の形態１と同様なので同じ符号を付して説明は省略する。図８は制御ブロック図、図９、１０はタイムチャート図、図１１フローチャート図である。本発明の制御の流れについて図８、９、１０、１１を用いて説明する。
【００４５】
本発明の空気調和機の制御装置１８には、居住者が希望する運転モード切替スイッチ１３（冷房、ドライ、送風または暖房）と室内温度設定スイッチ１４と運転停止スイッチ１２と風量設定スイッチ１５と風向設定スイッチ１６で構成されている運転設定装置１０の信号を記憶する運転モード記憶装置１９を有している。
【００４６】
また、室外機の容量範囲を設定する室外機容量範囲設定装置２０と、室外機に接続可能な室内機の接続数の範囲を設定する室内機接続台数範囲設定装置２４と、圧縮機の起動（運転開始）からの周波数ステップを設定する圧縮機起動周波数設定装置２６と膨張弁の運転開始からの開度ステップを設定する膨張弁起動開度設定装置３７と圧縮機２の最大周波数を設定する最大周波数設定装置２１と、室内吸込み温度検知装置２７の信号をサンプリング時間毎受けて運転状況を判断する判定装置２２と、その信号により圧縮機２の駆動周波数や送風機の回転数を決定し、圧縮機２、室内送風機８、室外送風機４等を駆動したり異常表示を行う出力リレー回路２３等を有している。
【００４７】
ここで例えば、２室型の空気調和装置において、Ａ室は容量（定格冷房能力）２．８ｋＷの室内機７ａが接続されておりＢ室は容量（定格冷房能力）２．２ｋＷの室内機７ｂが接続されており、室外機容量範囲設定装置２０には２．８ｋＷから５．０ｋＷの接続可能容量範囲が設定されていて、室内機接続台数範囲設定装置２４には２室が設定されているとする。
【００４８】
居住者が運転モード切替スイッチ１３ａで冷房を選択し、運転を開始すると（Ｓ３０１）、室内機の合計容量は５．０ｋＷであり室外容量範囲設定の範囲内にあり（Ｓ３０２）、室内機の接続台数は２台であり室内機接続台数範囲設定装置の範囲内にあるので（Ｓ３０３）、冷房開始し（Ｓ３０４）室内吸込み温度検知装置２７ａの信号と室内温度設定スイッチ（１４ａ）の信号により圧縮機２の運転周波数を最大周波数設定装置２１の範囲内で運転を行うが（Ｓ３０６）、圧縮機２は図９に示すように運転開始から段階的に周波数を徐々に上げていく（ＡＨｚ→ＢＨｚ→ＣHｚ→ＤＨｚ）ように、膨張弁６は運転開始から開度を徐々に開いていく（ＥＰｓ→ＦＰｓ→ＧＰｓ→ＨＰｓ）ように制御されている（Ｓ３０５）。これは、圧縮機２に寝込んだ冷媒を圧縮機外に出さないために、圧縮機の保護のために実施している。
【００４９】
ところが、何らかの理由でＢ室（容量２．２ｋW）が故障し、室外機１にはＡ室（容量２．８ｋＷ）１室しか接続されていない状態の場合、室内機の接続容量の合計は２．８ｋＷであり室外容量範囲設定の範囲内（２．８ｋＷから５．０ｋＷ）にあるが（Ｓ３０２）、接続台数が１台であり、接続台数の範囲内（２台）にないので（Ｓ３０８）、居住者が運転モード切替スイッチ１３ａで冷房を選択し、運転を開始しても、運転を停止し（Ｓ３０９）、異常表示装置１１に異常表示を行う（Ｓ３１０）。
【００５０】
ここで、居住者が再度運転モード切替スイッチ１３ａで冷房を選択し、運転を開始すると（Ｓ３１１）、運転を開始するが（Ｓ３１２）、圧縮機２は図１０に示すように運転開始から段階的に周波数を徐々に上げていくが、各周波数をγＨｚ下げて、膨張弁６は運転
開始から開度を徐々に開いていくが、各開度をηＰｓ下げて起動するように制御され（Ｓ３１３）、運転周波数を最大周波数設定装置２１の範囲内からαＨｚ下げた範囲内ですこし性能を落として運転を行う（Ｓ３１４）。
【００５１】
以上のように、複数台接続された室内機のうち数台故障しても残りの正常な室内機のみで、起動をゆっくり立ち上げかつ圧縮機運転周波数の制限をしながら空調を行うことにより、機器の信頼性が向上すると共に、故障の修理が完了するまで正常な室内機のみ能力を落としてもいいから運転したいというユーザーの要望が実現可能となり、ユーザーの使い勝手が向上する。
【産業上の利用可能性】
【００５２】
以上のように本発明にかかる多室型空気調和装置は、複数台接続された室内機のうち数台故障しても残りの正常な室内機のみで運転制限をしながら空調を行うことが可能となるので、ビル用マルチエアコン等の用途にも適用できる。
【符号の説明】
【００５３】
１  室外機
２  圧縮機
３  室外熱交換器
４  室外送風機
５  四方弁
６ａ、６ｂ  膨張弁
７ａ  室内機
７ｂ  室内機
８ａ  室内送風機
８ｂ  室内送風機
９ａ  室内熱交換器
９ｂ  室内熱交換器
１０ａ  運転設定装置
１０ｂ  運転設定装置
１１  異常表示装置
２１  最大周波数設定装置
２４  室内機接続台数範囲設定装置
２５  周波数変更速度設定装置
２６  圧縮機起動周波数設定装置
３７  膨張弁起動開度設定装置
【図１】
2011252640.tif 000003
【図２】
2011252640.tif 000004
【図３】
2011252640.tif 000005
【図４】
2011252640.tif 000006
【図５】
2011252640.tif 000007
【図６】
2011252640.tif 000008
【図７】
2011252640.tif 000009
【図８】
2011252640.tif 000010
【図９】
2011252640.tif 000011
【図１０】
2011252640.tif 000012
【図１１】
2011252640.tif 000013